(57)【特許請求の範囲】
【請求項１】
上端に開口を有しかつ内部に液状薬剤を収容可能な容器と、
前記容器内に収納され、液状薬剤を吸い上げ可能な棒状の吸液芯材と、
前記吸液芯材よりも横断面積が大きく、前記吸液芯材が突き刺される芯保持材と、
前記芯保持材と接触するように配置され、液状薬剤を揮散可能な揮散材と、を備え、
前記揮散材は、前記吸液芯材が突き刺されておらず、
前記芯保持材及び前記揮散材が多孔質体からなり、
前記芯保持材の気孔率が前記揮散材の気孔率よりも高い薬剤揮散器。
【請求項２】
前記芯保持材がポリエステルからなる多孔質体であり、気孔率が８０％以上である請求項１に記載の薬剤揮散器。
【請求項３】
前記揮散材がポリエステルからなる多孔質体であり、気孔率が７０％以上８５％以下である請求項１又は２に記載の薬剤揮散器。
【請求項４】
前記容器の上端開口に着脱自在に装着される保持部材をさらに備え、
前記保持部材は、前記芯保持材の一部を収納可能でありかつ前記吸液芯材を挿通できる挿通孔を有する収納凹部と、前記芯保持材の上方において前記揮散材を支持する支持部と、前記揮散材を下方に押し付ける付勢部と、を備える請求項１〜３のいずれかに記載の薬剤揮散器。
【請求項５】
前記支持部は、前記吸液芯材の長手方向と直交する方向への前記揮散材の移動を規制する請求項４に記載の薬剤揮散器。
【発明の詳細な説明】
【技術分野】
【０００１】
本発明は、芳香剤、消臭剤などの種々の揮散性を有する液状薬剤を揮散させる薬剤揮散器に関する。
【背景技術】
【０００２】
室内や車内などの空間の臭気による不快感をなくし、快適な空間を生み出すために、芳香剤などの液状薬剤を自然に揮散させる薬剤揮散器が広く使用されている。この種の薬剤揮散器としては、例えば特許文献１に示すように、液状薬剤を収容する容器と、容器内に収容された液状薬剤を吸い上げる棒状の吸液芯材と、吸液芯材の上端と接触することにより吸液芯材で吸い上げた液状薬剤を吸収して揮散させる揮散材とにより構成されるものが提案されている。
【先行技術文献】
【特許文献】
【０００３】
【特許文献１】特開２００５−１７７１７４号公報
【発明の概要】
【発明が解決しようとする課題】
【０００４】
上記特許文献１に記載されるような棒状の吸液芯材は、意匠性の観点から、外観上目立たないようにするため、太さ（断面直径）が０．３ｍｍ〜３ｍｍ程度の極細のものが用いられる。しかしながら、吸液芯材が極細であると、揮散材とわずかな面積でしか接触しないため、揮散材が使用時に傾いたりして吸液芯材の上端と接触する部位が上方へ変位すると、揮散材と吸液芯材との良好な接触状態が得られなくなり、揮散材による液状薬剤の揮散性が著しく低下するという課題がある。ここで、揮散材に吸液芯材を突き刺すことで揮散材に吸液芯材を保持させると、上記課題は生じないものの、極細の吸液芯材を揮散材に突き刺すためには、揮散材の気孔率を高くする必要があるが、揮散材の気孔率を高くすると、揮散材による液状薬剤の揮散性が低下するという課題が生じる。
【０００５】
本発明は、上記課題に着目してなされたもので、極細の吸液芯材を用いた場合でも、揮散材により良好に液状薬剤を揮散することができる薬剤揮散器を提供することを目的とする。
【課題を解決するための手段】
【０００６】
本発明の上記目的は、上端に開口を有しかつ内部に液状薬剤を収容可能な容器と、前記容器内に収納され、液状薬剤を吸い上げ可能な棒状の吸液芯材と、前記吸液芯材よりも横断面積が大きく、前記吸液芯材が突き刺される芯保持材と、前記芯保持材と接触するように配置され、液状薬剤を揮散可能な揮散材と、を備え、前記揮散材は、前記吸液芯材が突き刺されていない薬剤揮散器により達成される。
【０００７】
上記構成の薬剤揮散器において、前記芯保持材及び前記揮散材が多孔質体からなり、前記芯保持材の気孔率が前記揮散材の気孔率よりも高いことが好ましい。
【０００８】
また、上記構成の薬剤揮散器において、前記芯保持材がポリエステルからなる多孔質体であり、気孔率が８０％以上であることがより好ましく、前記揮散材がポリエステルからなる多孔質体であり、気孔率が７０％以上８５％以下であることがさらに好ましい。
【０００９】
また、上記構成の薬剤揮散器において、前記吸液芯材がアセタール樹脂からなることがより好ましい。
【００１０】
また、上記構成の薬剤揮散器において、前記吸液芯材が屈曲可能であり、前記吸液芯材の長さは、前記吸液材が屈曲した状態で前記吸液芯材の下端が前記容器の底部の内底面の角に達する長さに設定されていることがより好ましい。
【００１１】
また、上記構成の薬剤揮散器において、前記容器の上端開口に着脱自在に装着される保持部材をさらに備え、前記保持部材は、前記芯保持材の一部を収納可能でありかつ前記吸液芯材を挿通できる挿通孔を有する収納凹部と、前記芯保持材の上方において前記揮散材を支持する支持部と、前記揮散材を下方に押し付ける付勢部と、を備えることがより好ましく、前記支持部は、前記吸液芯材の長手方向と直交する方向への前記揮散材の移動を規制することがさらに好ましい。
【００１２】
また、上記構成の薬剤揮散器において、前記保持部材を覆うように前記容器に着脱自在に装着される蓋をさらに備え、前記蓋の周面部は、複数の壁板と複数の揮散孔とが周方向に交互に並べられることで構成されており、前記壁板の内側の面には、当該壁板の一方に隣接する前記揮散孔に突き出る目隠し板が設けられていることがより好ましい。
【発明の効果】
【００１３】
本発明の薬剤揮散器によると、極細の吸液芯材を用いた場合でも、芯保持材により吸液芯材が確実に保持されるうえ、吸液芯材よりも横断面積が大きい芯保持材が揮散材に安定して接触するので、吸液芯材により吸い上げた液状薬剤を揮散材により良好に外部空間に揮散することができる。
【図面の簡単な説明】
【００１４】
【図１】本発明の一実施形態に係る薬剤揮散器の正面図である。
【図２】本発明の一実施形態に係る薬剤揮散器の平面図である。
【図３】本発明の一実施形態に係る薬剤揮散器の底面図である。
【図４】本発明の一実施形態に係る薬剤揮散器の右側面図である。
【図５】図１のＡ−Ａ断面図である。
【図６】図４のＢ−Ｂ断面図である。
【図７】容器の正面図である。
【図８】容器の平面図である。
【図９】保持部材に揮散材、芯保持材及び吸液芯材を取り付けた状態の図である。
【図１０】吸液芯材の横断面図である。
【図１１】芯保持材の（ａ）平面図、（ｂ）正面図である。
【図１２】揮散材の（ａ）平面図、（ｂ）正面図である。
【図１３】保持部材の正面図である。
【図１４】保持部材の平面図である。
【図１５】保持部材の底面図である。
【図１６】保持部材の背面図である。
【図１７】蓋の正面図である。
【図１８】蓋の底面図である。
【図１９】図１８の一点鎖線で囲まれた部分の拡大図である。
【図２０】蓋の右側面図である。
【発明を実施するための形態】
【００１５】
以下、本発明の実施形態について、添付図面を参照して説明する。図１〜図４は、本発明の一実施形態に係る薬剤揮散器１の外観構成を、図５及び図６は、その内部構成を、それぞれ示している。
【００１６】
本実施形態の薬剤揮散器１は、液状薬剤を収容可能な容器２と、容器２内に収納される吸液芯材３と、吸液芯材３が突き刺される芯保持材４と、芯保持材４と接触するように配置される揮散材５とを備えている。さらに、本実施形態の薬剤揮散器１は、容器２の上端開口２０に着脱自在に装着される保持部材６と、保持部材６を覆うように容器２に着脱自在に装着される蓋７とをさらに備えている。
【００１７】
容器２は、図１〜図８に示すように、上端に開口２０を有しており、略円筒状の口部２１と、口部２１に連続して設けられる平面視略楕円形状の肩部２２と、平面視略楕円形状の底部２３と、肩部２２及び底部２３の間の中空の胴部２４とにより構成されている。容器２の材質は特に限定されるものではなく、例えば、ガラス製やプラスチック製とすることができる。また、容器２を透明又は半透明とすることで、外部から容器２内の液状薬剤の残量を確認することができる。
【００１８】
底部２３は、中央部分が周縁部分よりも上方にドーム状に隆起している。すなわち、中央部分が盛り上がり、周縁部分に向かうに連れて、高さが低くなっており、これにより、水平な台上に容器２を安定して載置可能となっている。
【００１９】
胴部２３の肩部２２との境目には、胴部２３よりも内側に向けて凹む段差部２５が周方向に一周にわたって設けられている。また、胴部２３の段差部２５の下方には、内側に向けて括れるとともに左右方向に延びる括れ部２６が前後方向に対向して一対設けられている。また、口部２１の上端には、外側に向けて突き出る突出部２７が周方向に一周にわたって設けられている。
【００２０】
吸液芯材３は、図５、図６、図９及び図１０に示すように、容器２内の液状薬剤を吸い上げ可能な棒状のものであり、上端は芯保持材４に突き刺され、下端は容器２の底部２３の内底面に達している。なお、吸液芯材３の上端は、芯保持材４から突き出ることなく芯保持材４内に包含されており、揮散材５には吸液芯材３が突き刺されていない。吸液芯材３は、可撓性を有するとともに硬度の大きいものであることが好ましく、その材質は特に限定されないが、ポリアセタール、ナイロン、ポリオレフィンなどの熱可塑性樹脂材料により好適に形成することができ、ポリアセタールで形成することが特に好ましい。
【００２１】
吸液芯材３の太さは、細い方が薬剤揮散器１を外部から視認した際に吸液芯材３が外観上目立たず、意匠性の観点から好ましい一方で、細すぎると折れやすいため、０．５ｍｍ以上３．０ｍｍ以下であることが好ましく、１．０ｍｍであることが特に好ましい。吸液芯材３の長さは、吸液芯材３の下端が容器２の底部２３の内底面まで達する長さであればよいが、吸液芯材３が屈曲した状態で吸液芯材３の下端が容器２の底部２３の内底面の角に達する長さに設定されていることが好ましい。使用に伴い容器２内の液状薬剤の量が残り僅かになると、底部２３の内底面の高さの低い角（周縁部分）に液状薬剤が貯まるので、吸液芯材３の下端が容器２の底部２３の内底面の角に達していることにより、残りの液状薬剤を確実に吸液芯材３により吸い上げることができる。
【００２２】
吸液芯材３の形状は、毛細管現象により液状薬剤を吸い上げることができるように、外周面に液状薬剤の流路となる微細な溝が複数形成されている。例えば、吸液芯材３は、図１０の横断面（水平面で切断したときの切り口の平面）に示すように、軸芯３０と、軸芯３から放射状に突き出るとともに先端が分岐する複数の枝片３１とを有するように形成することができる。この吸液芯材３では、隣接する枝片３０の間に狭い溝３２が形成されるとともに、各枝片３１の先端の分岐部３３の間にさらに狭い溝３４が形成されており、各溝３２，３４が流路となり毛細管現象によって液状薬剤が好適に吸い上げられる。なお、吸液芯材３の形状は、特に限定されるものではなく、毛細管現象によって液状薬剤を好適に吸い上げることができれば、種々の形状とすることができる。また。吸液芯材３を中空構造とし、内周面に液状薬剤の流路となる微細な溝を形成することもできる。なお、吸液芯材３の太さは、吸液芯材３の横断面が内接する円の直径で定義することができる。
【００２３】
芯保持材４は、図５、図６、図９及び図１１に示すように、所定の高さを有しかつ上下面が平坦な円柱状に形成されており、吸液芯材３よりも横断面積（水平面で切断したときの切り口の面積）が大きい。芯保持材４は、吸液芯材３が突き刺されることによって、吸液芯材３を安定して保持する。芯保持材４の高さは、特に限定されるものではないが、吸液芯材３が容易に抜け出ることがないように、吸液芯材３を少なくとも５．０ｍｍは余裕を持って突き刺すことができる程度の高さを有していることが好ましく、例えば５．０ｍｍ以上５０ｍｍ以下とすることができる。なお、芯保持材４は、必ずしも円柱状である必要はなく、角柱状であっても構わない。
【００２４】
揮散材５は、図５、図６、図９及び図１２に示すように、所定の厚みを有しかつ上下面が平坦な円板状に形成されており、芯保持材４よりも横断面積（水平面で切断したときの切り口の面積）が大きい。揮散材５の厚みは、特に限定されるものではなく、例えば１．０ｍｍ以上２０ｍｍ以下とすることができる。揮散材５の外周面には、内側に向けて凹む凹所５０が間隔をあけて複数（図示例では等間隔に４つ）設けられている。なお、揮散材５は、必ずしも円板状である必要はなく、平面視で多角形の板状であっても構わない。
【００２５】
芯保持材４及び揮散材５は、液状薬剤を吸収（含浸保持）できる多孔質体により主に構成されており、多孔質体としては、繊維構造物を好適に挙げることができる。繊維構造物は、植物繊維やパルプなどの天然繊維、レーヨン、ポリエステル、ポリエチレンテレフタレート、ポリプロピレン、ポリエチレンなどの合成繊維又はそれらの混合繊維などの繊維質材料で主に形成することができ、その中でもポリエステルで形成することが特に好ましい。繊維構造物としては、ニードルパンチ法、エアレイド法、サーマル法、スパンボンド法、スパンレース法などによって製造される不織布（フェルト）を好適に用いることができるが、この他、織物、編物などを用いてもよい。また、多孔質体としては、ウレタンスポンジなどの合成樹脂発泡体を用いることもできる。
【００２６】
芯保持材４は、吸液芯材３の一部を包含して吸液芯材３を安定して保持するためのものであり、そのため、吸液芯材３を難なく突き刺すことができる性質が求められる。この吸液芯材３を難なく突き刺すことができる性質とは、いかなる太さの吸液芯材３であっても芯保持材４に突き刺すことができることを意味しているのではなく、太さ０．５ｍｍ〜３．０ｍｍの吸液芯材３を通常の人の手で突き刺すことができる程度の荷重で突き刺したとき（例えば、吸液芯材３の先端から２０ｍｍの箇所を掴み、５．０Ｎの荷重を作用させながら突き刺したとき）に、吸液芯材３を折れることなく芯保持材４に突き刺すことができることを意味している。この性質は、芯保持材４の気孔率に関係しており、気孔率が高くて密度が低いほど、多孔質体中に孔が多く存在するので吸液芯材３を突き刺しやすくなる。よって、芯保持材４は、吸液芯材３の材質及び太さに応じて、その気孔率が設定され、例えば、芯保持材４がポリエステルの不織布（フェルト）で形成されており、吸液芯材３がポリアセタール製である場合には、気孔率は８０％以上であることが好ましく、８４％以上であることが太さ１．０ｍｍの吸液芯材３を突き刺すことが可能であるので特に好ましい。なお、気孔率の上限としては、９５％以下であることが好ましく、９０％以下であることが芯保持剤の形状保持性や吸液性の観点で特に好ましい。
【００２７】
なお、芯保持材４は、前記繊維構造物の外周面（上下面を除く）を覆う表面層（図示せず）を有していてもよい。当該表面層により、前記繊維構造物の形状を保持したり、前記繊維構造物の表面の毛羽立ちや繊維の脱落を抑制したりすることができる。
【００２８】
揮散材５は、液状薬剤を外部空間に揮散させるものであり、そのため、液状薬剤を良好に揮散できる優れた揮散性が求められる。この揮散性は、揮散材５の気孔率に関係しており、気孔率が高くて密度が低いと、多孔質体中に孔が多く存在しすぎて揮散材５が液状薬剤を良好に吸収・揮散しないために揮散性が低下する。一方で、揮散材５の気孔率が低すぎて、多孔質体中に孔が存在しなさすぎても、液状薬剤が揮散材５から揮散しにくく揮散性が低下することが本発明者の実験により分かっている。したがって、揮散材５の気孔率は、多孔質体中に孔が適度に存在して使用時に液状薬剤を良好に吸収して外部空間に十分な量の液状薬剤を揮散することができる数値範囲に設定されている。
【００２９】
上記した揮散性を満たす揮散材５の気孔率として、上限は、例えば吸液芯材３を突き刺すことができる芯保持材４よりも気孔率が低いことが好ましく、下限は、例えば吸液芯材３を突き刺すことができない程度に中身の詰まった硬く気孔率が低いことが好ましい。なお、吸液芯材３を突き刺すことができないとは、いかなる太さの吸液芯材３についていかなる荷重を作用させて揮散材５に突き刺しても全く突き刺すことができないことを意味しているのではなく、太さ０．５ｍｍ〜３．０ｍｍのポリアセタール製の吸液芯材３を、通常の人の手で突き刺すことができる程度の荷重で突き刺しても（例えば、吸液芯材３の先端から２０ｍｍの箇所を掴み、５．０Ｎの荷重を作用させながら突き刺しても）、揮散材５に突き刺すことができない又は揮散材５に突き刺される前に吸液芯材３が折れてしまうことを意味している。このような揮散材５の気孔率として、揮散材５がポリエステルで形成されている場合には、気孔率は７０％以上８５％以下であることが好ましく、７５％以上８２％以下であることがより好ましい。
【００３０】
なお、芯保持材４及び揮散材５の気孔率は、以下の方法で測定することができる。まず、乾燥時の芯保持材４及び揮散材５の重量をそれぞれ測定する。次に、水が十分に入った容器を準備し、芯保持材４及び揮散材５をそれぞれ容器内の水中に常圧下で浸漬させた後、１分間放置して、水をそれぞれ芯保持材４及び揮散材５に十分に吸収させる。そして、芯保持材４及び揮散材５を水中から取り出し、水を吸収した芯保持材４及び揮散材５の重量をそれぞれ測定し、吸水時の芯保持材４及び揮散材５の重量Ｂと、乾燥時の芯保持材４及び揮散材５の重量Ａとの差から、吸収した水の重量を求め、下記式から、芯保持材４及び揮散材５のそれぞれの気孔率を測定することができる。なお、以下の式で「ρ」は、繊維比重であり、芯保持材４及び揮散材５がポリエステルで形成されている場合には、ρ＝１．３８である。
【００３１】
気孔率（％）＝１００×（Ｂ−Ａ）／｛（Ａ／ρ）＋（Ｂ−Ａ）｝
【００３２】
保持部材６は、図５、図６、図９及び図１３〜図１６に示すように、例えば可撓性を有する合成樹脂製又は金属製であり、容器２の上端開口２０を塞ぐ栓部６０と、栓部６０の上端に設けられたフランジ部６１と、フランジ部６１に設けられかつ縦断面（鉛直面で切断したときの切り口の平面）がＬ字型の複数の係止部６２と、フランジ部６１に設けられかつ揮散材５を支持する支持部６３と、支持部６３に支持された揮散材５を下方に押し付ける付勢部６４と、芯保持材４の一部を収納する収納凹部６５とを有している。
【００３３】
栓部６０は、円筒状の周壁６０ａと、周壁６０ａの下端に設けられた水平な底壁６０ｂとを有している。周壁６０ａの外径は容器２の口部２１の内径と略同一である。周壁６０ａが容器２の口部２１に嵌め込まれることで、周壁６０ａの外周面が口部２１の内周面に当接しかつ底壁６０ｂにより上端開口２０が塞がれ、さらに、フランジ部６１が口部２１の上端の突出部２７上に乗り上がるので、口部２１が閉じられる。
【００３４】
収納凹部６５は、芯保持材４の一部を収納可能な有底の円筒状に形成されており、底壁６０ｂの中央部分から下方に突き出るようにして設けられている。収納凹部６５の内径は芯保持材４の外径と略同一であり、収納凹部６５の深さは、芯保持材４の下部を挿入できる程度の深さに設定されており、芯保持材４の上部は収納凹部６５より上方に露出しており、上端面が揮散材５の下面と接触している。収納凹部６５の底には吸液芯材３を挿通できる挿通孔６６が形成されている。
【００３５】
係止部６２は、フランジ部６１に周方向に間隔をあけて複数（図示例では等間隔に４つ）設けられている。係止部６２は、容器２の口部２１の突出部２７上を水平に延びる水平板６２ａと、水平板６２ａの先端から突出部２７に沿って下方に延びる垂下板６２ｂと、垂下板６２の下端に内向きに突き出るように設けられた鉤状突起６２ｃとを有している。鉤状突起６２ｃが、容器２の口部２１の突出部２７に下方から引っ掛かることで、容器２の口部２１に装着された保持部材６が口部２１に固定される。
【００３６】
支持部６３は、収納凹部６５に収納された芯保持材４の上方において揮散材５を支持する。支持部６３は、揮散材５を囲む複数の保持片６７と、揮散材５を下方から受ける支持突起６８とを有する。
【００３７】
保持片６７は、縦断面でＬ字型であり、フランジ部６１から水平に延びる水平板６７ａと、水平板６７ａの先端から上方に延びる起立板６７ｂとを有しており、フランジ部６１に周方向に間隔をあけて（図示例では等間隔に４つ）設けられている。支持突起６８は、各保持片６７の水平板６７ａ上に設けられており、フランジ部６１から起立板６７ｂとの角まで長く延びている。
【００３８】
各保持片６７は、本実施形態では、揮散材５を拘束し、吸液芯材３の長手方向と直交する方向（揮散材５の径方向）への揮散材５の移動を規制している。具体的には、各保持片６７は、揮散材５の外周面の各凹所５０に対応する位置に設けられ、揮散材５の各凹所５０に起立板６７ｂが嵌り込むことで揮散材５を芯保持材４の上方で挟持する。これにより、各保持片６７によって揮散材５は芯保持材４に対して径方向への移動かつ周方向への回動が規制されて確実に位置決めがなされるので、芯保持材４と揮散材５とが安定して接触する。
【００３９】
各保持片６７は、２つずつ組になるように、隣接する２つの保持片６７が起立板６７ｂの上端において、揮散材５の上方を水平に延びる連結板６９により連結されている。これにより、各保持片６７は、連結板６９を掴んで外側に開くことで容易に撓んで、揮散材５を各保持片６７の間に脱着しやすくなる。連結板６９は、本実施形態では、円弧状に湾曲している。
【００４０】
付勢部６４は、各保持片６７の起立板６７ｂの上部から周方向に突き出る板状を呈しており、各保持片６７により芯保持材４の上方に支持されている揮散材５を下方に押し付けて、支持突起６８との間で揮散材５の上下方向の移動を規制している。これにより、揮散材５は芯保持材４に対して上下方向の位置決めが確実になされるので、揮散材５は芯保持材４と接触する状態が保持され、芯保持材４と揮散材５との接触状態がより一層安定する。
【００４１】
蓋７は、図１〜図６及び図１７〜図２０に示すように、平面視で楕円形状の天面部７０と、天面部７０の周縁部分から垂下した周面部７１とを備えている。なお、図中、符号７８で示すのは、薬剤揮散器１の美感を向上させるために天面部７０上に設けられた装飾具７８である。
【００４２】
周面部７１は、上下方向に長い縦長形状を呈する壁板７２が周方向に間隔をあけて複数設けられることで構成されており、これにより、周面部７１には、上下方向に延びる長孔状（スリット状）を呈する揮散孔７３が周方向に間隔をあけて複数形成されている。つまり、周面部７１は、壁板７２と揮散孔７３とが周方向に交互に並んでいる。各壁板７２の下端は、リング状の連結板７４に連結されている。
【００４３】
周面部７１には、長軸方向の中央位置（端軸方向の両端位置）に、一対の装飾板７６が設けられている。この装飾板７６は、主に薬剤揮散器１の美感を向上させるものであるが、装飾板７６の内面には内側に突き出るとともに左右方向に延びる嵌合突起７７が設けられており、蓋７の容器２への装着時に、この嵌合突起７７が容器２の胴部２４の括れ部２６に嵌り込むことで、蓋７を容器２に固定するためのものでもある。装飾板７６は、本実施形態では楕円形状であるが、種々の形状とすることができる。なお、本実施形態では、この装飾板７６が設けられている側が薬液揮散器１の正面側ないしは背面側となる。
【００４４】
揮散孔７３は、吸液芯材３により芯保持材４を介して揮散材５に吸い上げられ、揮散材５から揮散された液状薬剤を外部空間に発散させるためのものである。よって、揮散孔７３の横幅が大きいと、液状薬剤をより外部空間に発散させることができる反面、揮散孔７３を通じて蓋７内の揮散材５などが見えてしまい、薬剤揮散器１の外観上の見栄えが損なわれて意匠性の観点から好ましくない。一方で、揮散孔７３の横幅が小さいと、揮散材５から揮散した液状薬剤が外部空間に発散されにくくなって芳香性が低下するという課題が生じる。
【００４５】
そこで、本実施形態では、周面部７１を構成する各壁板７２の内側の面（内面）に、目隠し板７５が設けられている。目隠し板７５は、壁板７２から分岐するように壁板７２の内面に対して所定の傾斜角度θで内側に傾いており、その横幅は、当該壁板７２を正面視で見た場合に目隠し板７５の先端縁部７５Ａが当該壁板７２の側縁部７２Ａよりも揮散孔７３側にはみ出す、すなわち、目隠し板７５の先端縁部７５Ａが当該壁板７２の一方に隣接する揮散孔７３に突き出る程度の大きさに形成されている。
【００４６】
これにより、揮散孔７３は、その横幅については揮散材５から揮散された液状薬剤を外部空間に良好に発散できる程度の大きさを確保しながら、目隠し板７５によりその一部分が覆われるので、揮散孔７３を通じて蓋７内の揮散材５などが見えにくくなり、薬剤揮散器１の外観上の見栄えが損なわれることを防止できる。
【００４７】
各目隠し板７５の壁板７２の内面に対する傾斜角度は任意とすることができ、前記傾斜角度を目隠し板７５毎に変更することもできる。例えば、薬剤揮散器１の正面側及び背面側に位置する、つまりは、装飾板７６の背後に位置する目隠し板７５から、薬剤揮散器１の両側面側に位置する、つまりは、周壁部７１の長軸方向の両端に位置する目隠し板７５に向かうに連れて次第に前記傾斜角度を大きくすることができる。これにより、特に美観を高めたい薬剤揮散器１の正面側において揮散材５を見えにくくしながら、両側面側から液状薬剤を外部空間に揮散させやすくすることができる。また、蓋７が楕円形状などの真円以外の形状を有する場合、揮散材５の見えにくさと液状薬剤の揮散させやすさとを調整することができる。
【００４８】
次に、本実施形態の薬剤揮散器１の使用方法について説明する。まず、容器２の口部２１に保持部材６を装着し、保持部材６の収納凹部６５内に、予め吸液芯材３の上端を下面から突き刺して貫通保持した芯保持材４を嵌め込むとともに、吸液芯材３の下端を挿通孔６６に挿通して容器２の底部２３の内底面まで到達させて液状薬剤に浸漬させる。そして、保持部材６の各保持片６７の間に揮散材５を嵌め込んで、揮散材５の下面を芯保持材４の上端面に当接させることで、容器２内に収容された液状薬剤が吸液芯材３により吸い上げられ、芯保持材４に吸収された後、芯保持材４から揮散材５に浸透して揮散材５が十分に液状薬剤を吸収することで、揮散材５から外部空間に揮散される。
【００４９】
上記構成の薬剤揮散器１によると、吸液芯材３が０．５ｍｍ〜３．０ｍｍの極細のものであっても、芯保持材４に吸液芯材３を突き刺すことにより芯保持材４に吸液芯材３が確実に保持されるうえ、吸液芯材３よりも横断面積が大きい芯保持材４が揮散材５に安定して接触するので、吸液芯材３により吸い上げた液状薬剤が揮散材５に十分に伝わって揮散材５から良好に外部空間に揮散させることができる。また、揮散材５に吸液芯材３が突き刺されていないので、揮散材５を気孔率の低い揮散性の優れたものとすることができるので、揮散材５による液状薬剤の揮散性が低下することもない。
【００５０】
また、揮散材５は、保持部材６の付勢部６４により下方に押し付けられて、上方向への移動が規制されているので、芯保持材４と接触する状態が保持されている。よって、揮散材５と芯保持材４との接触不良に伴って揮散材５による液状薬剤の揮散性が低下することがなく、揮散材５により液状薬剤を安定して揮散させることができる。
【００５１】
また、揮散材５は、保持部材６の支持部６３により、芯保持材４に対する径方向への移動かつ周方向への回動が規制されているので、芯保持材４との接触状態をより一層安定させることができる。よって、揮散材５と芯保持材４との接触不良をさらに効果的に防止することができ、揮散材５により液状薬剤を安定して揮散させることができる。
【００５２】
また、蓋７の周面部７１を構成する複数の壁板７２の内面に、目隠し板７５が設けられているので、揮散孔７３を揮散材５から揮散された液状薬剤を外部空間に良好に発散できる程度の大きさに確保しながら、目隠し板７５により揮散孔７３の一部分を覆うことができる。よって、揮散孔７３を通じて蓋７内の揮散材５などが見えにくくなり、薬剤揮散器１の外観上の見栄えの低下を防止することができる。
【００５３】
以上、本発明の実施形態について説明したが、本発明は上記実施形態に限定されるものではなく、本発明の趣旨を逸脱しない限りにおいて種々の変更が可能である。例えば、上記実施形態では、容器２及び蓋７が平面視で略楕円形状であるが、円形状の他、多角形状であってもよい。
【００５４】
また、上記実施形態では、保持部材６の支持部６３は、各保持片６７が揮散材５の凹所５０に嵌り込むことで、揮散材５の径方向への移動及び周方向への回動を規制しているが、揮散材５に凹所５０を設けることなく揮散材５の外周面に各保持片６７を当接させて揮散材５を挟持することで、揮散材５の径方向への移動及び周方向への回動を規制してもよい。また、保持部材６の支持部６３は、各保持片６７により揮散材５を挟持することで、揮散材５の径方向への移動及び周方向への回動を規制していたが、各保持片６７を揮散材５の周囲に僅かに隙間をあけて配置し、揮散材５の径方向への移動を完全に規制することなく大きく移動することを防止するようにしてもよい。
【００５５】
また、上記実施形態では、保持部材６の付勢部６４は、揮散材５を可能に押し付けることで揮散材５の上方向への移動を規制しているが、付勢部６４は必ずしも設ける必要はなく、揮散材５を芯保持材４上に載置するだけでもよい。
【符号の説明】
【００５６】
１    薬剤揮散器
２    容器
３    吸液芯材
４    芯保持材
５    揮散材
６    保持部材
７    蓋
６３  支持部
６４  付勢部
６５  収納凹部
６６  挿通孔
【図１】
0006727895.tif 000002
【図２】
0006727895.tif 000003
【図３】
0006727895.tif 000004
【図４】
0006727895.tif 000005
【図５】
0006727895.tif 000006
【図６】
0006727895.tif 000007
【図７】
0006727895.tif 000008
【図８】
0006727895.tif 000009
【図９】
0006727895.tif 000010
【図１０】
0006727895.tif 000011
【図１１】
0006727895.tif 000012
【図１２】
0006727895.tif 000013
【図１３】
0006727895.tif 000014
【図１４】
0006727895.tif 000015
【図１５】
0006727895.tif 000016
【図１６】
0006727895.tif 000017
【図１７】
0006727895.tif 000018
【図１８】
0006727895.tif 000019
【図１９】
0006727895.tif 000020
【図２０】
0006727895.tif 000021